(57)【特許請求の範囲】
【請求項１】
インキ及びこのインキの界面に接する逆流防止体とを内部に収容する内筒と、該内筒を内装する外筒とを有し、この外筒と内筒との間に隙間空間を確保すると共に、外筒の側面に隙間空間を外気とを連通する空気流通孔を設けてなる筆記具において、前記空気流通孔の最小径が、当該空気流通孔の開口部の位置する部分の隙間空間の隙間幅より大きいことを特徴とする筆記具。
【請求項２】
前記空気流通孔の径が外側に向かって次第に大径となることを特徴とした請求項１記載の筆記具。
【請求項３】
前記空気流通孔の位置する部分の前記隙間空間の隙間幅が他の隙間空間の空間幅に比して大きいことを特徴とした請求項１又は２に記載の筆記具。
【発明の詳細な説明】
【０００１】
【発明の属する技術分野】
本発明は、インキ及びこのインキの界面に接する逆流防止体とを内部に収容する内筒と、該内筒を内装する外筒とを有し、この外筒と内筒との間に隙間空間を確保すると共に、外筒の側面に隙間空間を外気とを連通する空気流通孔を設けてなる筆記具に関する。
【０００２】
【従来の技術】
従来、インキ及びこのインキの界面に接する逆流防止体とをインキタンク内に収容する筆記具では、筆記によるインキ消費に伴うインキタンク内のインキ収容体積の減少により移動するインキ界面に追従して逆流防止体が移動し、インキタンク内を大気圧に保っている。すなわちこのような筆記具では、逆流防止体のインキと反対側の空間が外気と連通していることが必要である。逆流防止体が移動しないとインキ消費に伴ってインキタンク内が減圧状態となりインキタンクよりのインキ吐出を疎外することになるし、逆流防止体のインキと反対側の空間が外気と連通していない場合にはこの空間が減圧となり逆流防止体の移動を疎外し結局インキタンク内を減圧にすることになる。
【０００３】
【発明が解決しようとする課題】
上述の通り、逆流防止体はインキの体積現象による負圧という比較的小さい力に対して追従しなくてはならず、容易に移動可能でなくてはならない。通常、円柱体や筒部材をαーオレフィンやポリブテンなど高粘度流体で包みインキタンク内壁に直接接触しないようになして移動のしやすさを得ている。しかしながら、この移動しやすいことがかえって別の問題点を発生させることにもなりえる。即ち、筆記具を落とすなどして、衝撃が加わった場合など、筆記具に外力が付与される場合、インキタンク内の逆流防止体が後方に移動してしまうことがある。逆流防止体が急に後方に移動すると逆流防止体とインキタンク内壁との隙間を埋めている高粘度流体の膜が破れ、インキが洩れ出すことがあった。特にペン先を押圧することによりペン先と連動する弁を開放するタイプの筆記具ではペン先を上向きで使用する場合、弁を開放するとインキの重量が逆流防止体にかかることになりインキタンク後端からインキが洩れる可能性がある。更に、インキタンクやこれを収容する外装体等を透明な材料で形成している場合、日向に放置した場合などにインキタンク内の温度が上昇しやすく、インキタンク内の圧力を高めてしまい逆流防止体をペン先と逆方向に押し上げてしまうことも発生し得る。このようなインキの逆流が発生すると、前述の通り、逆流防止体の後方は外気と連通しているため外部に洩れ、手や服を汚してしまう可能性があるという問題があった。
【０００４】
即ち、本発明は、インキ及びこのインキの界面に接する逆流防止体とを内部に収容する内筒と、該内筒を内装する外筒とを有し、この外筒と内筒との間に隙間空間を確保すると共に、外筒の側面に隙間空間を外気とを連通する空気流通孔を設けてなる筆記具において、前記空気流通孔の最小径が、当該空気流通孔の開口部の位置する部分の隙間空間の隙間幅より大きいことを特徴とする筆記具を要旨とする。
【０００５】
【作用】
液体は基本的に広い空間には重力等の外力の作用がなければ移動せず、狭い空間では毛細管力により移動することがしられている。特に粘度が数〜数１０cpsといった低粘度の液体では狭い空間における毛細管力の大きいほうにインキが移動する。よって、隙間空間に働き得る毛細管力よりも空気流通孔に働き得る毛細管力を小さくし、インキタンクよりインキが洩れ出したとしても、極力そのインキを空気流通孔から外に到達させないようにする。
【０００６】
【実施例】
以下、図面に基づき一例について説明する。
図１に示したものは、基本的には、内部に自由状態のインキ１を充填する内筒２を収容する外筒３と、この外筒３の先端に凹凸嵌合により固定され、内孔に繊維集束体からなるペン芯４を摺動自在に挿入するペン芯ホルダー５から構成されている。ペン芯ホルダー５の内孔には外力が付与されない通常の状態では閉塞しているスリット状インキ通路を有する弾性弁６が設置されており、ペン芯ホルダー５の後部に圧入固着される前記内筒２の内孔と接続されている。前後に摺動可能なペン芯４の後端は弾性弁６に当接してスリット状インキ通路を開放し得る。インキ消費に伴って内筒２内のインキ体積は減少するが、内筒２の内部にはインキ１との界面位置にポリブテンやα−オレフィンオイルなどの高粘度流体からなる逆流防止体組成物７及び逆流防止体組成物の比重よりも小さい素材からなる浮き栓８を配置しており、この逆流防止体組成物７及び浮き栓８は、インキ消費に伴うインキ減量によってインキ界面と共にペン芯４側に移動する。
【０００７】
インキ消費に伴うインキ体積の減量によってインキ界面と共に逆流防止体組成物７及び浮き栓８が移動することによって、外筒３内が減圧となりペン芯４へのインキ供給を阻害しないために外筒３と内筒２間には隙間空間９とこれに連通する外筒３の側面に形成した外気とを連通する空気流通孔１０を設けてある。空気流通孔１０から空気を取り入れ、ペン芯４へのインキの供給をスムースに促すものである。
【０００８】
図１のＡ−Ａ’線断面矢視図である図２にも示す通り、空気流通孔１０は外側に向かって次第に拡開するテーパー形状の貫通孔であり、最小径部分は隙間空間９への開口縁となっている。この空気流通孔１０の最小径（ｘ）は、横断面における内筒２と外筒３との距離である隙間幅（ｙ）よりも大きく設定してある（ｘ＞ｙ）。更に本例においては、空気流通孔１０の最小径は隙間空間９の隙間幅の２倍よりも大きく設定してある（ｘ＞２ｙ）。内筒２の設置位置が外筒３の中心位置よりずれて偏った場合にも、隙間空間の空間幅の方が狭いようになすためである。即ち、不慮の衝撃等で内筒２の後端開口部よりインキが洩れ、隙間空間９にインキが浸入した場合に、このインキを空気流通孔１０より外部に洩れ出させないために空気流通孔１０の最小径を開口部の位置する部分の隙間空間の隙間幅より大きくし、インキが逆流した場合インキに作用する毛管力は径の小さい隙間空間に働くため、インキは流通孔を通過して隙間空間に流れ込み、流通孔には流れ込まず、インキタンクよりインキが洩れ出したとしても、極力そのインキを空気流通孔から外に到達させないようにしている。但し、上記空気流通孔はインキ膜を貼ることが可能な最小径を有することが必要で、インキによっても多少異なるが毛細管力が発揮される大きさである。
【０００９】
図３に別の一例を示す。上述の一例の図２に対応する図面として示してある。インキ及びインキ逆流防止体を内部に収容する内筒と、該内筒を収容する外筒とを有してなる筆記具の一例とした点等は上述の一例と同様である。異なる点は、隙間空間９の空気流通孔１０の位置する部分に相当する領域の幅（ｙ２）を他の隙間空間９の領域の幅（ｙ）より広く確保した点である。即ち、外筒３の内壁に空気流通孔９に連続して凹部３ａを形成し、外部には極力毛細管力が発揮されないようになしたものである。これにより、空気流通孔近傍の隙間空間である凹部３ａにインキが流れ込み難くなり更に空気流通孔１０からのインキ洩れを抑制し得るものである。
【００１０】
【発明の効果】
本考案の筆記具は、内筒からインキが逆流した際に、流通孔から外気へのインキ洩れを防止することができるものである。
【図面の簡単な説明】
【図１】一例を示す断面図。
【図２】図１のＡ−Ａ’線断面図。
【図３】他の一例を示す図２相当部
【符号の説明】
１  インキ
２  内筒
３  外筒
３ａ  凹部
４  ペン芯
５  ペン芯ホルダー
６  弾性弁
７  逆流防止体組成物
８  浮き栓
９  隙間空間
１０  空気流通孔
ｘ  空気流通孔１０の最小値
ｙ  隙間幅
【図１】
0003956469.tif 000002
【図２】
0003956469.tif 000003
【図３】
0003956469.tif 000004